【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
波力エネルギーを変換する装置であって、
ａ）中心長手方向軸心を有する浮揚性ナセルと、
ｂ）前記ナセルに連結された第１スパーと、
ｃ）前記ナセルに連結された第２スパーと、
ｄ）第１浮体であって、前記ナセルの外面と当該第１浮体の径方向遠位端とによって画定される径方向長さの範囲内において前記中心長手方向軸心を中心に回動するように配置され、第１動力取出装置に動作可能に結合された第１浮体と、
ｅ）第２浮体であって、前記第１浮体の径方向遠位端と当該第２浮体の径方向遠位端とにより画定される径方向長さの範囲内において前記長手軸心を中心に回動するように配置され、第２動力取出装置又は前記第１動力取出装置に動作可能に結合された第２浮体と
を備え、
前記第１浮体及び前記第２浮体は前記中心長手方向軸心の周りに３６０度全範囲に回動可能である、
波力エネルギー変換装置。
【請求項２】
請求項１に記載の波力エネルギー変換装置において、前記第１浮体は前記第１動力取出装置に動作可能に結合されており、前記第２浮体は前記第２動力取出装置に動作可能に結合されている、波力エネルギー変換装置。
【請求項３】
請求項２に記載の波力エネルギー変換装置において、前記第１及び第２動力取出装置はそれぞれロータ部とステータ部とを有する直接駆動発電機であり、前記第１浮体は前記第１動力取出装置の前記ロータ部に回動可能に結合されており、前記第２浮体は前記第２動力取出装置の前記ロータ部に回動可能に結合されている、波力エネルギー変換装置。
【請求項４】
請求項１に記載の波力エネルギー変換装置において、前記第１浮体および前記第２浮体の一方は、前記第１動力取出装置のロータ部に動作可能に結合されており、前記第１浮体および前記第２浮体の他方は、前記第１動力取出装置のステータ部に動作可能に結合されている、波力エネルギー変換装置。
【請求項５】
請求項１に記載の波力エネルギー変換装置において、流体力学制御システムをさらに備える波力エネルギー変換装置。
【請求項６】
請求項５に記載の波力エネルギー変換装置において、前記流体力学制御システムは、バラストタンク、プレート、成形部材、水中翼、固定重量バラスト要素、および動的バラスト要素のうち少なくとも１つをさらに備える波力エネルギー変換装置。
【請求項７】
請求項５に記載の波力エネルギー変換装置において、前記流体力学制御システムは前記第１スパー及び前記第２スパーのうち少なくともいずれか一方に取り付けられ、当該取り付けたスパーの長手方向に沿って移動可能である、波力エネルギー変換装置。
【請求項８】
請求項１に記載の波力エネルギー変換装置において、前記第１浮体及び／又は前記第２浮体はバラストタンクを備える波力エネルギー変換装置。
【請求項９】
請求項１に記載の波力エネルギー変換装置において、前記第１浮体、前記第２浮体、前記第１スパー、及び前記第２スパーは、輸送用に、前記ナセルの後方に入れ子状態とすることができる、波力エネルギー変換装置。
【請求項１０】
請求項１に記載の波力エネルギー変換装置において、前記第１スパー及び前記第２スパーは、前記ナセルの両端に取り付けられており、かつ流体力学制御システムのための構造上の取付箇所となる、波力エネルギー変換装置。
【請求項１１】
請求項１に記載の波力エネルギー変換装置において、前記第１浮体および前記第２浮体のうち少なくとも一方の、前記中心長手方向軸心を中心とする回動姿勢は、動力取出装置制御、バラスト制御、ロック機構、ブレーキ機構、ラチェット機構およびこれらの任意の組合せの少なくとも１つにより調整可能である、波力エネルギー変換装置。
【請求項１２】
請求項１に記載の波力エネルギー変換装置において、保守点検用人員のための搭乗エリア及び／又は保守点検用機器のための搭載エリアをさらに備える波力エネルギー変換装置。
【請求項１３】
請求項１に記載の波力エネルギー変換装置において、前記第１浮体又は前記第２浮体のうち少なくとも一方の、前記中心長手方向軸心を中心とする回動運動の範囲を制限する手段をさらに備える波力エネルギー変換装置。
【請求項１４】
請求項１に記載の波力エネルギー変換装置において、前記浮揚性ナセル、前記第１スパー、前記第２スパー、前記第１浮体、前記第２浮体、および流体力学制御システムのうち少なくとも１つは、１つ以上の水密性モジュールをさらに備える波力エネルギー変換装置。
【請求項１５】
請求項１４に記載の波力エネルギー変換装置において、前記１つ以上の水密性モジュールはモジュール式の組立て品であって、取り外し可能であり、交換可能である、波力エネルギー変換装置。
【請求項１６】
請求項１に記載の波力エネルギー変換装置において、１つ以上の係留線を有する係留システムをさらに備える波力エネルギー変換装置。
【請求項１７】
請求項１に記載の波力エネルギー変換装置において、前記浮揚性ナセル、前記第１スパー、前記第２スパー、前記第１浮体、前記第２浮体、および流体力学制御システムのうち少なくとも１つに接続された少なくとも１つの方向ベーン／舵をさらに備える波力エネルギー変換装置。
【請求項１８】
請求項１６に記載の波力エネルギー変換装置において、前記係留システムは当該波力エネルギー変換装置の方向制御を行うための機構をさらに備える波力エネルギー変換装置。
【請求項１９】
請求項１８に記載の波力エネルギー変換装置において、当該波力エネルギー変換装置の方向制御を行うための前記機構は、ケーブルウィンチおよびチェーンウィンチの少なくとも一方によって少なくとも１つの係留線を長くし又は短くすることが可能である波力エネルギー変換装置。
【請求項２０】
請求項１８に記載の波力エネルギー変換装置において、当該波力エネルギー変換装置の方向制御を行うための前記機構は、当該波力エネルギー変換装置と前記係留システムとの間に回転可能なインターフェイスをさらに備える波力エネルギー変換装置。
【請求項２１】
請求項１６に記載の波力エネルギー変換装置において、当該波力エネルギー変換装置は前記係留システムにより受動的に姿勢決めされる、波力エネルギー変換装置。
【請求項２２】
発電方法であって、
ａ）ｉ）中心長手方向軸心を有する浮揚性ナセルと、
ｉｉ）前記ナセルに連結された第１スパーと、
ｉｉｉ）前記ナセルに連結された第２スパーと、
ｉｖ）第１浮体であって、前記ナセルの外面と当該第１浮体の径方向遠位端とにより画定される径方向長さの範囲内において前記中心長手方向軸心を中心に回動するように配置され、第１動力取出装置に動作可能に結合された第１浮体と、
ｖ）第２浮体であって、前記第１浮体の径方向遠位端と当該第２浮体の径方向遠位端とにより画定される径方向長さの範囲内において前記長手軸心を中心に回動するように配置され、第２動力取出装置又は前記第１動力取出装置に動作可能に結合された第２浮体と
を備える波力エネルギー変換装置を用意するステップと、
ｂ）前記波力エネルギー変換装置を波動場に展開するステップと
を含む発電方法。
【手続補正２】
【補正対象書類名】図面
【補正対象項目名】図１Ａ
【補正方法】変更
【補正の内容】
【図１Ａ】
2015532380.tif 000001
【手続補正３】
【補正対象書類名】図面
【補正対象項目名】図１Ｂ
【補正方法】変更
【補正の内容】
【図１Ｂ】
2015532380.tif 000002
【手続補正４】
【補正対象書類名】図面
【補正対象項目名】図１Ｃ
【補正方法】変更
【補正の内容】
【図１Ｃ】
2015532380.tif 000003
【手続補正５】
【補正対象書類名】図面
【補正対象項目名】図１Ｄ
【補正方法】変更
【補正の内容】
【図１Ｄ】
2015532380.tif 000004
【手続補正６】
【補正対象書類名】図面
【補正対象項目名】図１Ｅ
【補正方法】変更
【補正の内容】
【図１Ｅ】
2015532380.tif 000005
【手続補正７】
【補正対象書類名】図面
【補正対象項目名】図１Ｆ
【補正方法】変更
【補正の内容】
【図１Ｆ】
2015532380.tif 000006
【手続補正８】
【補正対象書類名】図面
【補正対象項目名】図１Ｇ
【補正方法】変更
【補正の内容】
【図１Ｇ】
2015532380.tif 000007
【手続補正９】
【補正対象書類名】図面
【補正対象項目名】図２Ａ
【補正方法】変更
【補正の内容】
【図２Ａ】
2015532380.tif 000008
【手続補正１０】
【補正対象書類名】図面
【補正対象項目名】図２Ｂ
【補正方法】変更
【補正の内容】
【図２Ｂ】
2015532380.tif 000009
【手続補正１１】
【補正対象書類名】図面
【補正対象項目名】図１１
【補正方法】変更
【補正の内容】
【図１１】
2015532380.tif 000010
【手続補正１２】
【補正対象書類名】図面
【補正対象項目名】図１２Ａ
【補正方法】変更
【補正の内容】
【図１２Ａ】
2015532380.tif 000011
【手続補正１３】
【補正対象書類名】図面
【補正対象項目名】図１２Ｂ
【補正方法】変更
【補正の内容】
【図１２Ｂ】
2015532380.tif 000012
【手続補正１４】
【補正対象書類名】図面
【補正対象項目名】図１２Ｃ
【補正方法】変更
【補正の内容】
【図１２Ｃ】
2015532380.tif 000013
【手続補正１５】
【補正対象書類名】図面
【補正対象項目名】図１３Ａ
【補正方法】変更
【補正の内容】
【図１３Ａ】
2015532380.tif 000014
【手続補正１６】
【補正対象書類名】図面
【補正対象項目名】図１３Ｂ
【補正方法】変更
【補正の内容】
【図１３Ｂ】
2015532380.tif 000015
【手続補正１７】
【補正対象書類名】図面
【補正対象項目名】図１３Ｃ
【補正方法】変更
【補正の内容】
【図１３Ｃ】
2015532380.tif 000016
【手続補正１８】
【補正対象書類名】図面
【補正対象項目名】図１４Ａ
【補正方法】変更
【補正の内容】
【図１４Ａ】
2015532380.tif 000017
【手続補正１９】
【補正対象書類名】図面
【補正対象項目名】図１４Ｂ
【補正方法】変更
【補正の内容】
【図１４Ｂ】
2015532380.tif 000018
【手続補正２０】
【補正対象書類名】図面
【補正対象項目名】図１４Ｃ
【補正方法】変更
【補正の内容】
【図１４Ｃ】
2015532380.tif 000019
【手続補正２１】
【補正対象書類名】図面
【補正対象項目名】図１５Ａ
【補正方法】変更
【補正の内容】
【図１５Ａ】
2015532380.tif 000020
【手続補正２２】
【補正対象書類名】図面
【補正対象項目名】図１５Ｂ
【補正方法】変更
【補正の内容】
【図１５Ｂ】
2015532380.tif 000021
【手続補正２３】
【補正対象書類名】図面
【補正対象項目名】図１５Ｃ
【補正方法】変更
【補正の内容】
【図１５Ｃ】
2015532380.tif 000022